(57)【要約】【課題】直交復調器において、受信した変調信号を同期検波する前に、変調信号に含まれるローカル信号の漏洩を低減する。【解決手段】直交復調器１は、受信した変調信号を二つに分配すると共に、二つの変調信号が９０°の位相差となるよう機能する分配位相器２と、分配位相器２から出力されるＦＳＫ変調信号成分を通過させると共に、漏洩しているローカル信号成分を除去する第一及び第二の帯域フィルタ３、４と、直交復調するためのローカル信号を出力する局部発振器５と、第一及び第二の帯域フィルタ３、４から出力される変調信号とローカル信号とを夫々乗算して同期検波する第一及び第二の乗算器６、７と、同期検波したベースバンド信号成分の高周波成分を除去し、ＦＳＫ変調信号からなるベースバンド信号を出力する第一の低域フィルタ８及び第二の低域フィルタ９とを備えて構成するようにした。【選択図】図１
2008060889.tif 000002
【特許請求の範囲】
【請求項１】
受信した変調信号を第一の変調信号と第二の変調信号とに分配すると共に、該第一の変
調信号と第二の変調信号とが９０°の位相差となるよう機能する分配位相器と、
前記第一及び第二の変調信号を直交復調するための局部発振信号を出力する局部発振器
と、
前記分配位相器で分配された前記第一の変調信号の変調成分を通過させると共に、漏洩
している前記局部発振信号の成分を除去する第一の帯域フィルタと、
前記分配位相器で分配された前記第二の変調信号の変調成分を通過させると共に、漏洩
している前記局部発振信号の成分を除去する第二の帯域フィルタと、
前記第一の帯域フィルタから出力される前記第一の変調信号と前記局部発振信号とを乗
算して同期検波する第一の乗算器と、
前記第二の帯域フィルタから出力される前記第二の変調信号と前記局部発振信号とを乗
算して同期検波する第二の乗算器と、
前記第一の乗算器から出力される出力信号の高周波成分を除去する第一の低域フィルタ
と、
前記第二の乗算器から出力される出力信号の高周波成分を除去する第二の低域フィルタ
と、
を備えたことを特徴とする直交復調器。
【請求項２】
前記分配位相器は、入力用ＩＤＴと二つの出力用ＩＤＴとを備え、前記出力用ＩＤＴが
一方向性ＩＤＴであるＳＡＷデバイスにより構成されていることを特徴とする請求項１に
記載の直交復調器。
【請求項３】
前記第一の帯域フィルタ及び第二の帯域フィルタは、ＳＡＷデバイスにより構成される
縦結合二重モードフィルタであることを特徴とする請求項１又は２に記載の直交復調器。
【請求項４】
前記第一の帯域フィルタ及び第二の帯域フィルタは、ＳＡＷデバイスにより構成される
横結合二重モードフィルタであることを特徴とする請求項１又は２に記載の直交復調器。
【請求項５】
受信した変調信号を第一の変調信号と第二の変調信号とに分配すると共に、該第一の変
調信号と第二の変調信号とが９０°の位相差となるよう機能する分配位相器と、
前記第一及び第二の変調信号を直交復調するための局部発振信号を出力する局部発振器
と、
前記第一の変調信号に漏洩している前記局部発振信号の成分を除去する第一の共振子と
、
前記第二の変調信号に漏洩している前記局部発振信号の成分を除去する第二の共振子と
、
前記分配位相器から出力される前記第一の変調信号と前記局部発振信号とを乗算して同
期検波する第一の乗算器と、
前記分配位相器から出力される前記第二の変調信号と前記局部発振信号とを乗算して同
期検波する第二の乗算器と、
前記第一の乗算器から出力される出力信号の高周波成分を除去する第一の低域フィルタ
と、
前記第二の乗算器から出力される出力信号の高周波成分を除去する第二の低域フィルタ
と、
を備えたことを特徴とする直交復調器。
【請求項６】
前記分配位相器は、入力用ＩＤＴと二つの出力用ＩＤＴとを備え、前記出力用ＩＤＴが
一方向性ＩＤＴであるＳＡＷデバイスにより構成されていることを特徴とする請求項５に
記載の直交復調器。
【請求項７】
前記第一及び第二共振子は、ＳＡＷデバイスにより構成される一端子対共振子であるこ
とを特徴とする請求項５又は６に記載の直交復調器。
【請求項８】
局部発振信号を出力する局部発振器と、
受信した変調信号を第一の変調信号と第二の変調信号とに分配すると共に、該第一の変
調信号と第二の変調信号とを９０°の位相差とする機能と、前記第一及び第２の変調信号
の変調成分を夫々通過させると共に、漏洩している前記局部発振信号の成分を除去するフ
ィルタ機能とを備えた分配位相器フィルタと、
前記分配位相器フィルタから出力される第一の変調信号と前記局部発振信号とを乗算し
て同期検波する第一の乗算器と、
前記分配位相器フィルタから出力される第二の変調信号と前記局部発振信号とを乗算し
て同期検波する第二の乗算器と、
前記第一の乗算器から出力される出力信号の高周波成分を除去する第一の低域フィルタ
と、
前記第二の乗算器から出力される出力信号の高周波成分を除去する第二の低域フィルタ
と、
を備えたことを特徴とする直交復調器。
【請求項９】
前記分配位相器フィルタは、入力用ＩＤＴと、二つの出力用ＩＤＴと、該二つの出力用
ＩＤＴの間に夫々配置されたグレーティングと、を備えたＳＡＷデバイスにより構成され
ていることを特徴とする請求項８に記載の直交復調器。
【請求項１０】
前記受信変調信号は、ＦＳＫ変調信号であることを特徴とする請求項１乃至請求項９の
何れか一項に記載の直交復調器。
【発明の詳細な説明】
【技術分野】
【０００１】
本発明は直交復調器に関し、特に変調信号に漏洩している局部発振信号を、同期検波す
る前に除去する機能を有した直交復調器に関するものである。
【背景技術】
【０００２】
従来、例えば、無線通信機器のデジタル変調方式を構成する手段として、直交変復調器
が使用されている。直交変調器は、二つの系列のベースバンド信号を、互いに９０°位相
の異なる二つの局部発振（ローカル）信号と夫々乗算した後、振幅変調された二つの変調
信号を加算して変調送信信号としたものである。一方、直交復調器は、受信した変調信号
を、互いに９０°位相の異なる二つのローカル信号と夫々乗算し、二つの系列のベースバ
ンド信号に復調分離するものである。
【０００３】
図１１は、直交変復調器の構成を示す図であり、図１１（ａ）は、直交変調器の構成を
示し、図１１（ｂ）は、直交復調器の構成を示す。
直交変調器１０１は、２系列からなるベースバンド信号Ｉ、及びＱを入力し、夫々高周
波成分を除去する第一の低域フィルタ１０２、及び、第二の低域フィルタ１０３と、搬送
波となる第一のローカル信号を出力する局部発振器１０４と、局部発振器１０４が出力す
る第一のローカル信号とベースバンド信号Ｉとを乗算し、振幅変調を行う第一の乗算器１
０５と、局部発振器１０４が出力する第一のローカル信号と９０°の位相差を有する第二
のローカル信号を生成する９０°位相器１０６と、９０°位相器１０６が出力する第二の
ローカル信号とベースバンド信号Ｑとを乗算し、振幅変調を行う第二の乗算器１０７と、
により構成される。
【０００４】
直交復調器１０８は、同期検波を行うための第一のローカル信号を出力する局部発振器
１０９と、受信した変調信号を前記第一のローカル信号で同期検波し、ベースバンド信号
Ｉを生成する第一の乗算器１１０と、局部発振器１０９が出力する第一のローカル信号と
９０°の位相差を有する第二のローカル信号を生成する９０°位相器１１１と、受信した
変調信号を前記第二のローカル信号で同期検波し、ベースバンド信号Ｑを生成する第二の
乗算器１１２と、第一の乗算器１１０、及び、第二の乗算器１１２が出力するベースバン
ド信号Ｉ、及びＱを入力し、夫々高周波成分を除去する第一の低域フィルタ１１３、及び
、第二の低域フィルタ１１４と、により構成される。
【０００５】
ここで、直交変復調器の構成要素である９０°位相器について説明する。
ベースバンド信号を直交変復調する際には、第一のローカル信号と第二のローカル信号
が、精度よく９０°位相差を保つことが必要である。従って、直交変復調器の構成要素に
おいて、９０°位相器の精度を如何に保つかは重要な要点である。
従来、９０°位相器の回路構成としては、特許文献１に示した特開２００２−２３２５
０２公報により開示されている手法がある。それによれば、位相器を抵抗とコンデンサに
よるＲＣ回路により構成するもので、４５°の位相器を二つ組み合わせたものである。こ
の手法においては、抵抗やコンデンサの素子値のばらつきや寄生容量により、位相差、及
び、通過損失レベルが変動し易いことが難点である。
【０００６】
一方、精度の高い９０°位相器を実現するものとして、特許文献２に示した特開平５−
３７２４３号公報により開示された手法がある。これによれば、９０°位相器をＳＡＷ（
Surface Acoustic Wave）デバイスを用いて実現したものである。ＳＡＷデバイスにおい
ては、位相精度は、電極パターンの寸法精度で決定されるが、近年では、電極パターンを
かなり微細に精度よく形成することができ、従って、経年変化の少ない、高精度の９０°
位相器を実現することが可能である。
【特許文献１】特開２００２−２３２５０２公報
【特許文献２】特開平５−３７２４３号公報
【発明の開示】
【発明が解決しようとする課題】
【０００７】
しかしながら、従来の直交復調器においては、変調受信信号に局部発振器が出力するロ
ーカル信号が漏洩すると、不要輻射やＤＣオフセットなどによる性能の劣化が問題となる
が、従来の直交復調器では、ローカル信号の漏洩を所望値まで抑圧することは困難であっ
た。
本発明は上述したような問題を解決するためになされたものであって、直交復調器にお
いて、受信した変調信号を同期検波する前に、変調信号に含まれるローカル信号の漏洩を
低減することを目的とする。
【課題を解決するための手段】
【０００８】
上記目的を達成するために本発明に係る直交復調器は、受信した変調信号を第一の変調
信号と第二の変調信号とに分配すると共に、第一の変調信号と第二の変調信号とが９０°
の位相差となるよう機能する分配位相器と、第一及び第二の変調信号を直交復調するため
の局部発振信号を出力する局部発振器と、分配位相器で分配された第一の変調信号の変調
成分を通過させると共に、漏洩している局部発振信号の成分を除去する第一の帯域フィル
タと、分配位相器で分配された第二の変調信号の変調成分を通過させると共に、漏洩して
いる局部発振信号の成分を除去する第二の帯域フィルタと、第一の帯域フィルタから出力
される第一の変調信号と局部発振信号とを乗算して同期検波する第一の乗算器と、第二の
帯域フィルタから出力される第二の変調信号と局部発振信号とを乗算して同期検波する第
二の乗算器と、第一の乗算器から出力される出力信号の高周波成分を除去する第一の低域
フィルタと、第二の乗算器から出力される出力信号の高周波成分を除去する第二の低域フ
ィルタと、を備えたことを特徴としている。
このような本発明によれば、直交復調器は、変調信号に含まれる変調信号成分は通過さ
せると共に、変調信号に漏洩しているローカル信号を除去することができ、不要輻射やＤ
Ｃオフセットなどによる性能の劣化を防止することができる。
【０００９】
本発明に係る直交復調器は、分配位相器が入力用ＩＤＴと二つの出力用ＩＤＴとを備え
、出力用ＩＤＴが一方向性ＩＤＴであるＳＡＷデバイスにより構成されていることを特徴
としている。
このような本発明によれば、分配位相器をＳＡＷデバイスにより構成したので、精度の
高い位相特性が得られ、経時変化の少ないレベル安定度の優れた分配位相器が実現できる
ことから、直交復調を行う上で大きな効果を発揮する。また、出力ＩＤＴとして一方向性
ＩＤＴを用いたので、トリプルトランジットエコーにより発生するリップルによって生ず
るレベル変動や、位相誤差を低減できる。
【００１０】
本発明に係る直交復調器は、第一の帯域フィルタ及び第二の帯域フィルタがＳＡＷデバ
イスにより構成される縦結合二重モードフィルタであることを特徴としている。
このような本発明によれば、第一の帯域フィルタ及び第二の帯域フィルタを、ＳＡＷデ
バイスを用いた縦結合二重モードフィルタにより構成したので、広い通過帯域を有し、ま
た変調信号に漏洩する局部発振信号の低減を実現していることから、変調信号としてはＦ
ＳＫ変調信号の使用が好適であり、特に周波数偏移幅の広い場合に有効である。
【００１１】
本発明に係る直交復調器は、第一の帯域フィルタ及び第二の帯域フィルタが、ＳＡＷデ
バイスにより構成される横結合二重モードフィルタであることを特徴としている。
このような本発明によれば、第一の帯域フィルタ及び第二の帯域フィルタを、ＳＡＷデ
バイスを用いた横結合二重モードフィルタにより構成したので、比較的通過帯域が狭い場
合に優れた特性を有し、また変調信号に漏洩する局部発振信号の低減を実現していること
から、受信信号としてはＦＳＫ変調信号の使用が好適であり、特に、周波数偏移幅の狭い
場合に有効である。
【００１２】
本発明に係る直交復調器は、受信した変調信号を第一の変調信号と第二の変調信号とに
分配すると共に、第一の変調信号と第二の変調信号とが９０°の位相差となるよう機能す
る分配位相器と、第一及び第二の変調信号を直交復調するための局部発振信号を出力する
局部発振器と、第一の変調信号に漏洩している局部発振信号の成分を除去する第一の共振
子と、第二の変調信号に漏洩している局部発振信号の成分を除去する第二の共振子と、分
配位相器から出力される第一の変調信号と局部発振信号とを乗算して同期検波する第一の
乗算器と、分配位相器から出力される第二の変調信号と局部発振信号とを乗算して同期検
波する第二の乗算器と、第一の乗算器から出力される出力信号の高周波成分を除去する第
一の低域フィルタと、第二の乗算器から出力される出力信号の高周波成分を除去する第二
の低域フィルタと、を備えたことを特徴としている。
このような本発明によれば、直交復調器は、変調信号に漏洩しているローカル信号を除
去することができ、不要輻射やＤＣオフセットなどによる性能の劣化を防止することがで
きる。
【００１３】
本発明に係る直交復調器は、分配位相器が入力用ＩＤＴと二つの出力用ＩＤＴとを備え
、出力用ＩＤＴが一方向性ＩＤＴであるＳＡＷデバイスにより構成されていることを特徴
としている。
このような本発明によれば、分配位相器をＳＡＷデバイスにより構成したので、精度の
高い位相特性が得られ、経時変化の少ないレベル安定度の優れた分配位相器が実現できる
ことから、直交復調を行う上で大きな効果を発揮する。また、出力ＩＤＴとして一方向性
ＩＤＴを用いたので、トリプルトランジットエコーにより発生するリップルによって生ず
るレベル変動や、位相誤差を低減できる。
本発明に係る直交復調器は、第一及び第二共振子がＳＡＷデバイスにより構成される一
端子対共振子であることを特徴としている。
このような本発明によれば、共振子をＳＡＷデバイスにより構成したので、経時変化の
少ない共振周波数精度の高い、極めて安定した共振子を実現でき、変調信号に漏洩してい
るローカル信号を除去する上で大きな効果を発揮する。また、局部発振信号を除去する手
段として共振子を用いると、帯域フィルタを用いた場合と異なり、周波数の設定が一ポイ
ントであることから、共振子の設計は、容易となる。
【００１４】
本発明に係る直交復調器は、局部発振信号を出力する局部発振器と、受信した変調信号
を第一の変調信号と第二の変調信号とに分配すると共に、第一の変調信号と第二の変調信
号とを９０°の位相差とする機能と、第一及び第２の変調信号の変調成分を夫々通過させ
ると共に、漏洩している局部発振信号の成分を除去するフィルタ機能とを備えた分配位相
器フィルタと、分配位相器フィルタから出力される第一の変調信号と局部発振信号とを乗
算して同期検波する第一の乗算器と、分配位相器フィルタから出力される第二の変調信号
と局部発振信号とを乗算して同期検波する第二の乗算器と、第一の乗算器から出力される
出力信号の高周波成分を除去する第一の低域フィルタと、第二の乗算器から出力される出
力信号の高周波成分を除去する第二の低域フィルタと、を備えたことを特徴としている。
このような本発明によれば、直交復調器は、変調信号に含まれる変調信号成分は通過さ
せると共に、変調信号に漏洩している局部発振信号を除去することができ、不要輻射やＤ
Ｃオフセットなどによる性能の劣化を防止することができる。また、フィルタの機能を分
配位相器に持たせたので、直交復調器の小型化とコストの低減を図ることが出来る。
【００１５】
本発明に係る直交復調器は、分配位相器フィルタが、入力用ＩＤＴと、二つの出力用Ｉ
ＤＴと、二つの出力用ＩＤＴの間に夫々配置されたグレーティングと、を備えたＳＡＷデ
バイスにより構成されていることを特徴としている。
このような本発明によれば、分配位相器フィルタをＳＡＷデバイスにより構成したので
、精度の高い位相特性と、経時変化の少ないレベル安定度の優れた分配位相が得られると
共に、安定した所望のフィルタ特性が得られ、直交復調を行う上で大きな効果を発揮する
。
【００１６】
本発明に係る直交復調器は、受信変調信号が、ＦＳＫ変調信号であることを特徴として
いる。
このような本発明によれば、変調信号としてＦＳＫ変調信号を用いた場合に好適であり
、優れた性能の直交復調が可能となる。
【発明を実施するための最良の形態】
【００１７】
以下、図示した実施形態に基づいて本発明を詳細に説明する。
本発明においては、直交復調器を構成する乗算器の前段に変調信号に漏洩したローカル
信号を除去するためのフィルタを挿入することとした。また、フィルタは、分配位相器と
共にＳＡＷデバイスにより構成した。なお、以降に示す実施形態においては、変調信号を
直交復調する際に、位相差が９０°の二つのローカル信号を用いて同期検波せずに、受信
して分配した二つの変調信号に９０°の位相差を設け、一つのローカル信号を用いて同期
検波している。
【００１８】
図１は、本発明に係る直交復調器の第一の実施形態を示す構成図である。
第一の実施形態は、変調信号がＦＳＫ変調信号である場合の直交復調器の構成を示し、
フィルタの特性としては、ＦＳＫ変調信号成分は通過させ、ローカル信号成分を除去する
ものである。
直交復調器１は、受信した変調信号を第一の変調信号と第二の変調信号とに分配すると
共に、第一の変調信号と第二の変調信号とが９０°の位相差となるよう機能する分配位相
器２と、分配位相器２で分配された第一の変調信号であるＦＳＫ変調信号成分を通過させ
ると共に、漏洩しているローカル信号成分を除去する第一の帯域フィルタ３と、分配位相
器２で分配された第二の変調信号であるＦＳＫ変調信号成分を通過させると共に、漏洩し
ているローカル信号成分を除去する第二の帯域フィルタ４とを備える。さらに、第一の変
調信号及び第二の変調信号を直交復調するためのローカル信号を出力する局部発振器５と
、第一の帯域フィルタ３から出力されるＦＳＫ変調信号と、局部発振器５から出力される
ローカル信号とを乗算して同期検波する第一の乗算器６と、上記第一の帯域フィルタ３か
ら出力されるＦＳＫ変調信号とは９０°の位相差を有する第二の帯域フィルタ４から出力
されるＦＳＫ変調信号と、局部発振器５から出力されるローカル信号と、を乗算して同期
検波する第二の乗算器７とを備える。さらに、第一の乗算器６から出力されるベースバン
ド信号成分の高周波成分を除去し、ＦＳＫ変調信号からなるベースバンド信号Ｉを出力す
る第一の低域フィルタ８と、第二の乗算器７から出力されるベースバンド信号成分の高周
波成分を除去し、ＦＳＫ変調信号からなるベースバンド信号Ｑを出力する第二の低域フィ
ルタ９と、を備えて構成される。
【００１９】
このような直交復調器１の動作について説明する。
受信したＦＳＫ変調信号からなる変調信号は、分配位相器２の入力ＩＤＴに入力され、
二つの変調信号に分配されて、弾性表面波となって二つの出力ＩＤＴに伝搬する。入力Ｉ
ＤＴから二つの出力ＩＤＴへの距離は、詳細を後述するが、二つ出力ＩＤＴが出力する夫
々の変調信号の位相差が９０°となるよう異なっている。
そこで、分配位相器２で分配された二つの変調信号は、９０°の位相差を有して分配位
相器２より第一の変調信号と第二の変調信号となって出力される。次に、第一の変調信号
及び第二の変調信号は、夫々第一の帯域フィルタ３、及び第二の帯域フィルタ４に夫々入
力され、ＦＳＫ変調信号成分のみを通過させ、変調信号に漏洩しているローカル信号を除
去する。ローカル信号が除去された第一の変調信号と第二の変調信号は、第一の乗算器６
と第二の乗算器７とに夫々入力され、局部発振器５が出力するローカル信号と乗算するこ
とにより同期検波され、二系列のベースバンド信号に復調される。さらに、復調された二
つのベースバンド信号は、第一の低域フィルタ８と第二の低域フィルタ９に入力され、高
周波成分を除去して、所望のベースバンド信号Ｉ、及び、Ｑを得る。
【００２０】
次に、第一の帯域フィルタ３と第二の帯域フィルタ４について説明する。
第一の帯域フィルタ３と第二の帯域フィルタ４は、同一な特性を有しており、ＳＡＷデ
バイスにより構成される。ＳＡＷフィルタの代表的なものとして二重モードフィルタが知
られている。二重モードフィルタは、近接配置された二つのＩＤＴと、二つのＩＤＴの外
側に一対の反射器を備え、同一基板上に近接配置した二つのＩＤＴ間の音響結合により励
起される周波数の異なる共振モードを利用したフィルタである。また、二重モードフィル
タは、二つのＩＤＴの配置の方法により、縦結合二重モードフィルタと、横結合二重モー
ドフィルタに分かれている。第一の実施形態の直交復調器においては、縦結合二重モード
フィルタを採用している。縦結合二重モードフィルタは、二つのＩＤＴを伝搬方向に沿っ
て配置したことが特徴である。
【００２１】
図２は、本発明に係る直交復調器に用いられている帯域フィルタの通過特性を示す図で
ある。図２の縦軸は、損失を示し矢印の方向に向かって損失が増加し、また、横軸は周波
数を示す。図２に示すごとく、縦結合二重モードフィルタは、ＦＳＫ変調信号成分を通過
させると共に、変調信号に漏洩したローカル信号成分を除去する特性を有している。この
ような複通過特性を持たせるようにするのは、縦結合二重モードフィルタの終端条件を所
定の値にずらすことで可能となる。また、縦結合二重モードフィルタは、広い通過帯域を
実現しており、従って、ＦＳＫ変調信号が、周波数偏移幅の広い場合に、特に有効である
。
【００２２】
次に、分配位相器２について説明する。
分配位相器２は、ＳＡＷデバイスにより構成し、受信した変調信号を二つの変調信号に
分配すると共に、分配した二つの変調信号が９０°の位相差となるよう変換する９０°位
相器の機能を有する。分配位相器２は、三つのＩＤＴを並べて構成し、中央に入力用のＩ
ＤＴを配置し、その両側に第一の出力用ＩＤＴと第二の出力用ＩＤＴを配置する。そこで
、分配した二つの変調信号が９０°の位相差を保つためには、中央に配置した入力用ＩＤ
Ｔから二つの出力用ＩＤＴへの伝搬距離に、（ｎ／２＋１／４）λの差を持たせることが
必要である。ここで、λは、ＳＡＷの波長であり、ｎ＝０、１、２、３・・・・とする。
【００２３】
図３はＳＡＷデバイスにより構成した分配位相器の構成を示した図である。
図３において、分配位相器は、入力用ＩＤＴ１０と、第一の出力用ＩＤＴ１１と、第二
の出力用ＩＤＴ１２とにより構成する。そこで、分配した二つの変調信号に９０°の位相
差を持たせるため、入力ＩＤＴ１０と第一の出力用ＩＤＴ１１との距離をｌとすると、入
力ＩＤＴ１０と第二の出力用ＩＤＴ１２との距離をｌ＋（ｎ／２＋１／４）λとしている
。また、図３に示した分配位相器は、第一の出力用ＩＤＴ１１と第二の出力用ＩＤＴ１２
を、一方向性ＩＤＴとしている。そこで、ＩＤＴの電極幅は、「λ／８」と「３λ／８」
のものを配置し、電極スペースは、「λ／８」としている。
このように一方向性ＩＤＴを用いることにより、ＳＡＷデバイスにおいて発生するトリ
プルトランジットエコー（以降、ＴＴＥと称す）による通過特性のリップルにより生ずる
レベル変動や位相誤差を低減する。
【００２４】
次に、本発明の第二の実施形態について説明する。
第二の実施形態は、第一の帯域フィルタと第二の帯域フィルタを横結合二重モードフィ
ルタにより構成したものである。
図４は、本発明に係る直交復調器の第二の実施形態を示す構成図である。
第二の実施形態においても、変調信号がＦＳＫ変調信号である場合の直交復調器の構成
を示し、フィルタの特性としては、ＦＳＫ変調信号成分は通過させ、ローカル信号成分を
除去するものである。なお、図１に示した第一の実施形態と同一部分には同一符号を付し
て説明は省略する。
【００２５】
直交復調器１３は、分配位相器２で分配された第一の変調信号であるＦＳＫ変調信号成
分を通過させると共に、漏洩しているローカル信号成分を除去する第一の帯域フィルタ１
４と、分配位相器２で分配された第二の変調信号であるＦＳＫ変調信号成分を通過させる
と共に、漏洩しているローカル信号成分を除去する第二の帯域フィルタ１５とを備え、こ
れら第一の帯域フィルタ１４、及び第二の帯域フィルタ１５を、ＳＡＷデバイスからなる
横結合二重モードフィルタにより構成した点に特徴がある。
横結合二重モードフィルタは、縦結合二重モードフィルタと同様に、近接配置された二
つのＩＤＴと、二つのＩＤＴの外側に一対の反射器を備えており、ＩＤＴをＳＡＷの伝搬
方向に対して平行に配置している。
【００２６】
図５は、本発明に係る直交復調器に用いられている帯域フィルタの通過特性を示す図で
ある。図５の縦軸は、損失を示し矢印の方向に向かって損失が増加し、また、横軸は周波
数を示す。図５に示すごとく、横結合二重モードフィルタは、ＦＳＫ変調信号成分を通過
させると共に、変調信号に漏洩したローカル信号成分を除去する特性を有している。この
ような複通過特性を持たせるようにするには、横結合二重モードフィルタの終端条件を所
定の値にずらすことで可能となる。また、横結合二重モードフィルタは、比較的狭い通過
帯域を必要とする場合に適応され、従って、ＦＳＫ変調信号が、周波数偏移幅の狭い場合
に、特に有効である。
なお、直交復調器１３の動作については、第一の帯域フィルタ１４と第二の帯域フィル
タ１５の構成とその通過特性が、第一の実施形態と異なることのみであるので説明を省略
する。
【００２７】
次に、本発明の第三の実施形態について説明する。
第三の実施形態は、分配位相器の後段に共振子を並列に配置し、変調信号に漏洩してい
るローカル信号を除去したものである。
図６は、本発明に係る直交復調器の第三の実施形態を示す構成図である。
第三の実施形態は、変調信号がＦＳＫ変調信号である場合の直交復調器の構成を示し、
共振子を用い、変調信号に漏洩しているローカル信号成分を除去するものである。なお、
図１に示した第一の実施形態と同一部分には同一符号を付して説明は省略する。
【００２８】
直交復調器１６は、分配位相器２から出力される第一の変調信号に漏洩しているローカ
ル信号成分を除去する第一の共振子１７と、分配位相器２から出力される第二の変調信号
に漏洩しているローカル信号成分を除去する第二の共振子１８と、を備えている。即ち、
第三の実施形態においては、分配位相器２の後段に配置していた帯域フィルタを、ＳＡＷ
デバイスからなる共振子に置き換えて構成した点に特徴がある。
このような第三の実施形態においては共振子として一端子対共振子を用いている。一端
子対共振子は、中央にＩＤＴを置き、その両側に反射器を配置して構成したもので、ＩＤ
Ｔにより励振されたＳＡＷを両反射器間に閉じこめることにより高いＱを持つ共振子を実
現することができる。
【００２９】
図７は、本発明に係る直交復調器に用いられている一端子対共振子の通過特性を示す図
である。図７の縦軸は、損失を示し矢印の方向に向かって損失が増加し、また、横軸は周
波数を示す。図７に示すごとく、一端子対共振子は、変調信号に漏洩したローカル信号成
分を除去する特性を有している。
なお、直交復調器１６の動作については、分配位相器の後段に挿入していた帯域フィル
タを、ＳＡＷデバイスからなる一端子対共振子に置き換えたことのみ第一の実施形態と異
なるので、説明を省略する。
【００３０】
次に、本発明の第四の実施形態について説明する。
第四の実施形態は、第一の実施形態において、分配位相器の後段に配置していた二つの
帯域フィルタの機能を、分配位相器に持たせたものである。
図８は、本発明に係る直交復調器の第四の実施形態を示す構成図である。
本第四の実施形態においても、ベースバンド信号がＦＳＫ変調信号である場合の直交復
調器の構成を示し、分配位相器に持たせた帯域フィルタの特性としては、ＦＳＫ変調信号
成分は通過させ、ローカル信号成分を除去するものである。なお、図１に示した第一の実
施形態と同一部分には同一符号を付して説明は省略する。
【００３１】
直交復調器１９は、受信した変調信号を第一の変調信号と第二の変調信号とに分配する
と共に、第一の変調信号と第二の変調信号とが９０°の位相差となるよう機能する分配位
相器の機能と、第一の変調信号に含まれるＦＳＫ変調信号成分を通過させると共に、漏洩
しているローカル信号成分を除去する帯域フィルタの機能と、第二の変調信号に含まれる
ＦＳＫ変調信号成分を通過させると共に、漏洩しているローカル信号成分を除去する帯域
フィルタの機能とを備えた分配位相器フィルタ２０とを備える。つまり、第四の実施形態
においては、分配位相器の後段に配置していた帯域フィルタの機能を、ＳＡＷデバイスか
らなる分配位相器に持たせるようにした点に特徴がある。
【００３２】
図９は、本発明に係る直交復調器に用いられている分配位相器フィルタの構成を示す図
である。図９に示すごとく、分配位相器フィルタは、分配位相器を構成する入力用ＩＤＴ
と、入力用ＩＤＴの両側に配置された二つの出力用ＩＤＴの間に、夫々グレーティングを
配置している。分配位相器フィルタ２０は、入力用ＩＤＴ２１と、その両側に配置された
第一の出力用ＩＤＴ２２、及び、第二の出力用ＩＤＴ２３と、入力用ＩＤＴ２１と第一の
出力用ＩＤＴ２２との間、及び、入力用ＩＤＴ２１と第二の出力用ＩＤＴ２３との間に配
置された第一のグレーティング２４と、第二のグレーティング２５と、により構成する。
第一のグレーティング２４と、第二のグレーティング２５の夫々は、ほぼλ／２ピッチで
構成され、ＩＤＴ部とグレーティング部の速度差を補正したピッチとする、グレーティン
グの電極幅は、おおよそ、０．１μｍ＜グレーティングの電極幅＜（λ／２）−０．１μ
ｍとする。また、ローカル信号を除去する特性の周波数帯域幅は、グレーティングの電極
幅により決定される。なお、入力用ＩＤＴ２１と、第一の出力用ＩＤＴ２２と、第二の出
力用ＩＤＴ２３の電極子構造は、第一の実施形態において説明した分配位相器の構造と同
様である。
【００３３】
図１０は、本発明に係る直交復調器に用いられている分配位相器フィルタの通過特性を
示す図である。図１０の縦軸は、損失を示し矢印の方向に向かって損失が増加し、また、
横軸は周波数を示す。図１０に示すごとく、分配位相器フィルタは、ＦＳＫ変調信号成分
を通過させると共に、変調信号に漏洩したローカル信号成分を除去する特性を有している
。
なお、直交復調器１９の動作については、分配位相器の後段に配置していた帯域フィル
タの機能を、ＳＡＷデバイスからなる分配位相器に持たせたことのみが第一の実施形態と
異なるので説明を省略する。
【００３４】
以上、上述した本発明に係る直交復調器においては、直交復調器の構成要素である分配
位相器について、出力用ＩＤＴを一方向性ＩＤＴとしたが、両方向性ＩＤＴを使用しても
同様の機能を満たすことが出来る。
【図面の簡単な説明】
【００３５】
【図１】本発明に係る直交復調器の第一の実施形態を示す構成図である。
【図２】本発明に係る直交復調器に用いられている帯域フィルタの通過特性を示す図である。
【図３】ＳＡＷデバイスにより構成した分配位相器の構成図である。
【図４】本発明に係る直交復調器の第二の実施形態を示す構成図である。
【図５】本発明に係る直交復調器に用いられている帯域フィルタの通過特性を示す図である。
【図６】本発明に係る直交復調器の第三の実施形態を示す構成図である。
【図７】本発明に係る直交復調器に用いられている一端子対共振子の通過特性を示す図である。
【図８】本発明に係る直交復調器の第四の実施形態を示す構成図である。
【図９】本発明に係る直交復調器に用いられている分配位相器フィルタの構成を示す図である。
【図１０】本発明に係る直交復調器に用いられている分配位相器フィルタの通過特性を示す図である。
【図１１】直交変復調器の構成を示す図である。
【符号の説明】
【００３６】
１、１３、１６、１９…直交復調器、２…分配位相器、３、１４…第一の帯域フィルタ
、４、１５…第二の帯域フィルタ、５…局部発振器、６…第一の乗算器、７…第二の乗算
器、８…第一の低域フィルタ、９…第二の帯域フィルタ、１０、２１…入力用ＩＤＴ、１
１、２２…第一の出力用ＩＤＴ、１２、２３…第二の出力用ＩＤＴ、１７…第一の共振子
、１８…第二の共振子、２０…分配位相器フィルタ、２４、２５…グレーティング
【図１】
2008060889.tif 000003
【図２】
2008060889.tif 000004
【図３】
2008060889.tif 000005
【図４】
2008060889.tif 000006
【図５】
2008060889.tif 000007
【図６】
2008060889.tif 000008
【図７】
2008060889.tif 000009
【図８】
2008060889.tif 000010
【図９】
2008060889.tif 000011
【図１０】
2008060889.tif 000012
【図１１】
2008060889.tif 000013